(57)【要約】【課題】カード所有者がカード内に蓄積された情報を知りたい場合等に、外部のカード読取装置を用いてカード内に蓄積された情報を解読し、カード読取装置に搭載されているディスプレイ上に前記の蓄積情報を読み出さなければならないという不便さがあった。【解決手段】ＩＣカード本体と、ＩＣカード本体における外部からの機械的な変形を電力に変換するセルフ電源装置と、ＩＣカード本体の外側へ露出して表示を行うディスプレイ面を有し、セルフ電源装置で発生した電力の供給を受けてディスプレイ面に情報を表示する表示装置とを備えるＩＣカード表示システムが提供される。【選択図】図４
2012190435.tif 000002
【特許請求の範囲】
【請求項１】
ＩＣカード本体と、
前記ＩＣカード本体における外部からの機械的な変形を電力に変換するセルフ電源装置と、
前記ＩＣカード本体の外側へ露出して表示を行うディスプレイ面を有し、前記セルフ電源装置で発生した電力の供給を受けて前記ディスプレイ面に情報を表示する表示装置と
を備えるＩＣカード表示システム。
【請求項２】
前記セルフ電源装置で発生した交流電流を直流に変換して前記表示装置に出力する整流装置をさらに備える請求項１に記載のＩＣカード表示システム。
【請求項３】
前記表示装置と電気的に連結する第一の端部と、前記整流装置と電気的に連結する第二の端部とを有する制御装置をさらに備える、請求項２に記載のＩＣカード表示システム。
【請求項４】
前記セルフ電源装置は、前記整流装置の第一の端部と電気的に連結する上部電極と、前記整流装置の第二の端部と電気的に連結する下部電極とを有する圧電材料シートを有し、前記圧電材料シートを変形させると、前記上部電極と下部電極との間に交流電流が発生する、請求項３に記載のＩＣカード表示システム。
【請求項５】
前記表示装置は、電力の供給を受けた場合に、ＩＣカード内に蓄積された情報を表示する請求項４に記載のＩＣカード表示システム。
【請求項６】
前記セルフ電源装置は、第一の分極方向を有し、上部電極を備える第一の圧電材料シートと、前記第一の圧電材料シートの下側に設けられた金属層と、第二の分極方向を有し、下部電極を備え、前記金属層の下側に設けられた第二の圧電材料シートとを有し
前記上部電極は下部電極と連結して、前記整流装置の第一の端部と電気的に連結し、
前記金属層は、前記整流装置の第二の端部と電気的に連結する請求項３に記載のＩＣカード表示システム。
【請求項７】
前記セルフ電源装置は、第一の電気接点と第二の電気接点とを有する回路基板と、前記第一の電気接点と電気的に連結する上部電極と、前記第二の電気接点と電気的に連結する下部電極とを有する圧電材料シートと、前記回路基板と圧電材料シートとの間に設けられたスペースとを有し、
を備えるＩＣカード表示システムであって、
前記第一の電気接点と前記第二の電気接点は、前記整流装置と電気的に連結する請求項３に記載のＩＣカード表示システム。
【請求項８】
前記セルフ電源装置は、押し下げ可能なドーム型金属と、前記ドーム型金属の下側に設けられた圧電材料シートと、第一の電気接点と第二の電気接点とを有する回路基板と、
前記ドーム型金属と前記回路基板との間に設けられたスペースとを有し、
前記ドーム型金属は、前記第一の電気接点と電気的に連結し、前記第一の電気接点と前記第二の電気接点は、前記整流装置と電気的に連結する請求項３に記載のＩＣカード表示システム。
【請求項９】
前記圧電材料シートと連結した前記ドーム型金属が押し下げられると、前記第一の電気接点と前記第二の電気接点との間に交流電圧が発生する、請求項８に記載のＩＣカード表示システム。
【請求項１０】
前記セルフ電源装置からの電力の供給を受けて前記表示装置を制御する制御装置をさらに備える請求項１に記載のＩＣカード表示システム。
【請求項１１】
前記制御装置が、
前記表示装置と電気的に連結する表示装置駆動回路と、
前記駆動回路と電気的に連結するマイクロプロセッサと、
前記マイクロプロセッサと電気的に連結する不揮発性メモリと、
をさらに備える請求項１０に記載のＩＣカード表示システム。
【請求項１２】
前記駆動回路と電気的に連結する電圧上昇回路をさらに備える請求項１１に記載のＩＣカード表示システム。
【請求項１３】
前記セルフ電源装置が、
圧電装置と、
前記圧電装置と電気的に連結する第一の端部と、前記制御装置と電気的に連結する第二の端部とを有する整流装置と、
をさらに備える、請求項１０から１２のいずれか一項に記載のＩＣカード表示システム。
【請求項１４】
前記整流装置と電気的に連結する第一の端部と、前記制御装置と電気的に連結する第二の端部とを有する電気エネルギー貯蔵域をさらに備える、請求項１３に記載のＩＣカード表示システム。
【請求項１５】
前記電気エネルギー貯蔵域が、二次電池またはコンデンサまたは大容量コンデンサである、請求項１４に記載のＩＣカード表示システム。
【請求項１６】
前記制御装置と電気的に連結する始動装置をさらに備える、請求項１１から１５のいずれか一項に記載のＩＣカード表示システム。
【請求項１７】
前記始動装置が、ボタン式始動装置または無線周波数（ＲＦ）始動装置またはＩＣカード接触始動装置である、請求項１６に記載のＩＣカード表示システム。
【請求項１８】
前記電気エネルギー貯蔵域と電気的に連結する第一の端部と、前記制御装置と電気的に連結する第二の端部とを有する保護回路をさらに備える、請求項１４または１５に記載のＩＣカード表示システム。
【請求項１９】
前記保護回路と電気的に連結する第一の端部と、前記制御装置と電気的に連結する第二の端部とを有する電力検出回路をさらに備える、請求項１８に記載のＩＣカード表示システム。
【請求項２０】
ＩＣカードに加えられた機械力によって圧電装置で交流電流を生成する工程と、
前記交流電流を直流に変換する工程と、
電力が十分になったときに蓄積された情報を前記ＩＣカードに配された表示装置に表示する工程と、
を備える表示方法。
【請求項２１】
前記圧電装置に加えられる機械力は、人の手または共鳴振動である、請求項２０に記載の表示方法。
【請求項２２】
ＩＣカードに加えられた機械力によって圧電装置で交流電流を生成する工程と、
前記交流電流を直流エネルギーに変換し、前記直流エネルギーを電気エネルギー貯蔵域に貯蔵する工程と、
外部始動の有無を確認する工程と、
外部始動される場合に、蓄積された情報を前記ＩＣカードに配された表示装置に表示する工程と、
を備える表示方法。
【請求項２３】
前記外部始動が、ボタン式始動または無線周波数（ＲＦ）始動またはＩＣカード接触始動である、請求項２２に記載の表示方法。
【発明の詳細な説明】
【技術分野】
【０００１】
本発明は、本発明は、ＩＣカード表示システム、特に内蔵型発電機によって電圧が印加されるディスプレイ部分を備えるＩＣカードに関する。
【背景技術】
【０００２】
技術の進歩により、様々な商取引の場面において、クレジットカード、マネーカード、テレフォンカード、交通カード、キャッシュカード等、多くのＩＣカードが支払いツールとして使用されている。これら種々のカードには、一般的に二つの種類がある。
（１）スマートカードとも呼ばれ、管理機能を有するマイクロプロセッサチップとＳｅｃｕｒｉｔｙ  Ａｃｃｅｓｓ  Ｍｏｄｕｌｅ（ＳＡＭ）が埋め込まれたカード、および
（２）メモリカードとも呼ばれ、メモリと簡素な論理回路が埋め込まれたカードであって、読み取り専用メモリ（ＲＯＭ）又は電気的消去可能ＲＯＭ（ＥＥＰＲＯＭ）をメモリとして使用するカード。
【０００３】
図１Ａおよび１Ｂは、先行技術を表す。
【０００４】
図１Ａは、内蔵チップ１０３を備えた、例えばＶＩＳＡカードのような、接触型ＩＣカード１０１である。図１Ｂは、例えば交通カードのような、電磁誘導型カードとも呼ばれる非接触型ＩＣカード１２である。
【０００５】
図２Ａおよび２Ｂは、図１Ａと１ＢにおけるＡからＡ'のラインで切断した断面図である。
【０００６】
図２Ａは、内蔵チップ１０３を備えたＶＩＳＡカード１０１を表している。内蔵チップ１０３の上面は、カード１０１の外側へ露出しており、カード読取装置によって内蔵チップ１０３内に蓄積された情報を読み取ることができるように構成されている。
【０００７】
図２Ｂは、内蔵チップ１０４と、当該内蔵チップ１０４と電気的に連結した電磁誘導コイル１０５を備えた電磁誘導型カード１０２を表している。内蔵チップ１０４に蓄積された情報は、外部のカード読取装置を用いて電磁誘導によって読み取ることが可能である。
【発明の概要】
【発明が解決しようとする課題】
【０００８】
スマートカードもメモリカードも、集積回路（ＩＣ）チップが内蔵されているため、総称して「ＩＣカード」と呼ばれる。これら従来のカードは、カード所有者がカード内に蓄積された情報を知りたい場合、すなわち例えばクレジットカードの使用累積額を知りたい場合や、キャッシュカードの利用可能金額を知りたい場合に、外部のカード読取装置を用いてカード内に蓄積された情報を解読し、カード読取装置に搭載されているディスプレイ上に前記の蓄積情報を読み出さなければならないという不便さがあった。
【０００９】
本発明の発明者は、ＩＣカード自体にディスプレイが設けられ、カード所有者がカードに蓄積された情報をいつでも表示することができれば非常に便利であり、さらに従来の電池をカードに取り付ける必要がなければ、より便利であると考えた。
【課題を解決するための手段】
【００１０】
本発明の第一の形態は、カード内に蓄積された情報を表示するためのディスプレイ部分をＩＣカードの上面に設けたＩＣカード表示システムに関する。カード内にセルフ電源装置を設け、当該表示システムに電気エネルギーを供給する。カード所有者は、外部のカード読取装置を用いることなく、カード内に蓄積された情報をいつでもどこでも調べることが可能となる。カードにセルフ電源装置が内蔵されるので、従来の電池をカードに取り付ける必要がない。表示システムを稼動させるのに必要な電力エネルギーは、カード内部に取り付けられたセルフ電源装置によって供給される。一枚の圧電材料シートを前後に折り曲げて、交流電流を発生させる。圧電材料シートは、人の手で前後に折り曲げ、或いは例えば超音波のように、機械的に共鳴振動させて前後に折り曲げ、交流電流（ＡＣ）を起こす。そして、この交流電流は、整流回路によって直流（ＤＣ）に変換される。なお、当該整流回路は、半波長整流回路または全波整流回路のいずれであってもよい。
【００１１】
なお、上記の発明の概要は、本発明の必要な特徴の全てを列挙したものではない。また、これらの特徴群のサブコンビネーションもまた、発明となりうる。
【図面の簡単な説明】
【００１２】
【図１Ａ】先行技術を表す。
【図１Ｂ】先行技術を表す。
【図２Ａ】図１ＡにおけるＡからＡ'のラインで切断した断面図である。
【図２Ｂ】図１ＢにおけるＡからＡ'のラインで切断した断面図である。
【図３Ａ】本発明の第一実施形態にかかる平面図である。
【図３Ｂ】本発明の第一実施形態にかかる平面図である。
【図４】図３Ａまたは３Ｂのいずれかにおける断面図である。
【図５】図３Ａまたは３Ｂのいずれかにおける別の断面図である。
【図６】セルフ発電の第一例を表す。
【図７Ａ】カードの表示装置において表示された情報を表している。
【図７Ｂ】カードの表示装置において表示された情報を表している。
【図８】セルフ電源装置の第二例を表している。
【図９】セルフ電源装置の第三例を表している。
【図１０】セルフ電源装置の第四例を表している。
【図１１】セルフ電源装置が押し下げられた状態を表している。
【図１２】表示システムの第一例を表す回路ブロック図である。
【図１３】表示システムの第二例を表す回路ブロック図である。
【図１４】表示システムの第三例を表す回路ブロック図である。
【図１５】セルフ電源装置を表す回路ブロック図の第一例である。
【図１６】セルフ電源装置を表す回路ブロック図の第二例である。
【図１７】セルフ電源装置にかかる回路の第二例の変形例を表している。
【図１８】セルフ電源装置を表す回路ブロック図の第三例である。
【図１９】セルフ電源装置を表す回路ブロック図の第四例である。
【図２０】ＩＣカード表示システムを表す論理ブロック図の第一例である。
【図２１】ＩＣカード表示システムを表す論理ブロック図の第二例である。
【発明を実施するための形態】
【００１３】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１４】
図３Ａおよび３Ｂは、本発明の第一実施形態にかかる平面図である。
【００１５】
図３Ａは、接触型ＩＣカード１０１の上面に設けられ、カード１０１内に蓄積された情報を表示するための表示装置２００を表す。表示装置２００は、電力を用いて情報を表示する、ドットマトリックスまたは７セグメントの、有機ＥＬ、液晶等が用いられる。
【００１６】
図３Ｂは、非接触型ＩＣカード１０２の上面に設けられ、カード１０２内に蓄積された情報を表示するための表示装置２００を表す。
【００１７】
図４は、図３Ａまたは３Ｂのいずれかにおける断面図である。
【００１８】
図４は、第１例のセルフ電源装置６０を備えたＩＣカード表示システムを表す。表示装置２００は、ＩＣカード２０内に設けられ、その上面をＩＣカード２０の外側へ露出して表示を行う。整流装置２４は、回路２４１を介して表示装置２００と電気的に連結されており、交流電流を直流に変換して出力する。圧電材料シート２１は、上部電極Ｅ２１と下部電極Ｅ２２を有している。上部電極Ｅ２１は、回路２３１を介して整流装置２４の第一の端部と電気的に連結され、下部電極Ｅ２２は、回路２３２を介して整流装置２４の第二の端部と電気的に連結されている。この圧電材料シート２１は、整流装置２４と電気的に連結している。圧電材料シート２１は、外部からの機械的変形を電気エネルギーに変換して直接的または間接的に表示装置２００へ供給するセルフ電源装置６０の一例である。
【００１９】
図５は、図３Ａまたは３Ｂのいずれかにおける別の断面図である。図５のＩＣカード表示システムは、図４で説明したＩＣカード表示システムと類似している。相違点は、図５では、制御装置２５が表示装置２００と整流装置２４の間にさらに設けられている点である。制御装置２５は、第一の端部を表示装置２００と電気的に連結し、第二の端部を整流装置２４と電気的に連結している。制御装置２５は、所定の法則にしたがって、表示装置２００に表示動作を行わせるかどうかを決定する。
【００２０】
図６は、本発明のセルフ電源装置６０によって、電気エネルギーを作り出す方法を表している。ＩＣカード２０を前後に折り曲げ、内蔵された圧電材料シート２１を変形させると、上部電極Ｅ２１と下部電極Ｅ２２との間に交流電圧差が生じる。一例として、図中ＤＦと示された領域で変形が起こる。
【００２１】
図７Ａおよび７Ｂは、カードの表示装置２００に表示された情報を表している。表示装置２００にセルフ電源装置６０で生じた電気エネルギーに基づく電圧が加えられると、ＩＣに蓄積されている最新の情報が表示装置２００上に表示される。例えば、図７Ａでは、ＶＩＳＡカード１０１の累積額ＮＴ＄７５，８８８が表示装置２００上に表示されている。これは、このカードの所有者が現在までの期間において、商取引で支払った総額である。この情報を見ることによって、カード所有者は、自分の予算を効率的に管理することができる。図７Ｂは、交通カードにおける利用可能残高ＮＴ＄１２３を表している。この情報により、カード所有者は、今後の旅程を効率的に管理することができる。
【００２２】
図８は、カード３０内に搭載される第二例のセルフ電源装置６０２を表している。整流装置２４は、交流電流を直流に変換して出力する。第一の圧電材料シート２１Ｔは、第一の分極方向を有し、折り曲げ方向に関して一方向を有する誘導交流電流を生む。この第一の圧電材料シート２１Ｔの上部には、上部電極ＥＴ２１が設けられている。金属層ＥＴ２２は、前記第一の圧電材料シート２１Ｔの下に設けられている。第二の圧電材料シート２１Ｂは、前記第一の分極方向と対向する第二の分極方向を有し、金属層ＥＴ２２の下に設けられている。この第二の圧電材料シート２１Ｂの下部には、下部電極ＥＴ２１１が設けられている。上部電極ＥＴ２１は下部電極ＥＴ２１１と連結して第一の電極を形成し、回路２６１を介して整流装置２４における第一の端部と電気的に連結する。金属層ＥＴ２２は、第一の圧電材料シート２１Ｔの下面と接し、且つ第二の圧電材料シート２１Ｂの上面と接している。当該金属層ＥＴ２２は、第二の電極として機能し、回路２６２を介して整流装置２４における第二の端部と電気的に連結する。第一の圧電材料シート２１Ｔにおける分極方向が第二の圧電材料シート２１Ｂにおける分極方向と対向しているため、誘導電流は第一の圧電材料シート２１Ｔと第二の圧電材料シート２１Ｂとの間で常に相互に対向する。したがって、圧電材料シート２１Ｔと２１Ｂの組み合わせを前後に折り曲げると、圧電材料シートを一つだけ用いた発電と比べ、二倍の電気エネルギーが出力可能となる。
【００２３】
図９は、ＩＣカード３０内に搭載される第三例のセルフ電源装置６０３を表している。整流装置２４は、交流電流を直流に変換して出力する。回路基板３２は、第一の電気接点Ｃ３１と第二の電気接点Ｃ３２を有する。圧電材料シート３１には、前記第一の電気接点Ｃ３１と電気的に連結する上部電極Ｅ３１が設けられている。また、この圧電材料シート３１には、回路３６を介して前記第二の電気接点Ｃ３２と電気的に連結する下部電極Ｅ３２が設けられている。回路基板３２と圧電材料シート３１との間にはスペースＳＰがあり、圧電材料シート３１が押されて変形する際に緩衝地帯となる。
【００２４】
図１０は、ＩＣカード３０内に搭載される第四例のセルフ電源装置を表している。整流装置２４は、交流電流を直流に変換して出力する。圧電材料シート５１の上側には、押し下げ可能なドーム型金属５０が設けられている。回路基板５２には、第一の電気接点Ｃ５１と第二の電気接点Ｃ５２が設けられている。押し下げ可能なドーム型金属５０と回路基板５２との間には、ドーム型金属５０が押されて変形する際に必要な空間であるスペースＳＰがある。この押し下げ可能なドーム型金属５０は、圧電材料シート５１の上部と接しており、上部電極として機能する。当該ドーム型金属５０は、第一の電気接点Ｃ５１と電気的に連結している。第一の電気接点Ｃ５１と第二の電気接点Ｃ５２は、それぞれ整流装置２４と電気的に連結している。第二の電極Ｅ５２は、圧電材料シート５１の下部に設けられ、回路５６を介して第二の電気接点Ｃ５２と電気的に連結している。第一の電気接点Ｃ５１と第二の電気接点Ｃ５２は、それぞれ整流装置２４と電気的に連結している。
【００２５】
図１１は、上記セルフ電源装置が押し下げられた状態を表している。
【００２６】
図１１は、図１０で説明した押し下げ可能なドーム型金属５０が押し下げられた状態を表す。圧電材料シート５１と連結したドーム型金属５０を、押し下げたり離したりして繰り返し変形させると、第一の電気接点Ｃ５１と第二の電気接点Ｃ５２との間に交流電圧が発生する。
【００２７】
図１２は、表示システムを表す回路ブロック図の第一例である。
【００２８】
図１２は、第一の表示システムを表す回路ブロック図の第一例である。表示には、表示装置６３が用いられる。制御装置６１は、表示装置６３と電気的に連結し、表示装置６３を制御する。セルフ電源装置６０は、制御装置６１と電気的に連結し、制御装置６１へ電力を供給する。制御装置６１は、セルフ電源装置６０から供給された電力を用いて表示装置６３を駆動し、当該表示装置６３上に情報を表示する。表示装置６３は上記表示装置２００であってよい。
【００２９】
図１３は、表示システムを表す回路ブロック図の第二例である。
【００３０】
図１３は、図１２で説明したＩＣカード表示システムと類似のＩＣカード表示システムである。図１２と異なり、図１３に示す一実施形態では、表示装置駆動回路６１２とマイクロプロセッサ６１１と不揮発性メモリ６１３とが、制御装置６１の中に含まれている。表示装置駆動回路６１２は、表示装置６３と電気的に連結している。マイクロプロセッサ６１１は、駆動回路６１２と電気的に連結している。例えばＥＥＰＲＯＭのような不揮発性メモリ６１３は、マイクロプロセッサ６１１と電気的に連結している。当該不揮発性メモリ６１３は、ＩＣカードにおけるＩＣのメモリと共用であってもよいし、別個であってもよい。当該不揮発性メモリ６１３には例えば表示装置６３に表示される情報が格納されており、マイクロプロセッサ６１１により当該情報が参照されて、表示装置駆動回路６１２を介して表示装置６３へ出力される。
【００３１】
図１４は、表示システムを表す回路ブロック図の第三例である。
【００３２】
図１４は、図１３で説明したＩＣカード表示システムを表す。図１３と異なり図１４では、表示装置駆動回路６１２と電気的に連結した電圧上昇回路６５がさらに設けられ、駆動回路６１２を動作させるために十分なレベルまで電圧を上昇させる。これにより表示装置６３は、蓄積された情報を表示することができるようになる。
【００３３】
図１５は、セルフ電源装置を表す回路ブロック図の第一例である。
【００３４】
図１５は、本発明のＩＣカード表示システム内に搭載される第一のセルフ電源装置６０Ａを表す。整流装置７２は、第一の端部を圧電装置７１と電気的に連結し、第二の端部を制御装置６１と電気的に連結している。
【００３５】
図１６は、セルフ電源装置を表す回路ブロック図の第二例である。
【００３６】
図１６は、ＩＣカード表示システム内に搭載される第二のセルフ電源装置６０Ｂに関する回路ブロック図である。図１６は、図１５で説明したセルフ電源装置と類似のセルフ電源装置である。図１６では図１５と異なり、整流装置７２と制御装置６１との間に電気エネルギー貯蔵域７３が加えられている。電気エネルギー貯蔵域７３は、第一の端部を整流装置７２と電気的に連結し、且つ第二の端部を制御装置６１と電気的に連結し、整流装置７２から発生した直流電気エネルギーを貯蔵する。電気エネルギー貯蔵域７３は、二次電池またはコンデンサまたは大容量コンデンサのいずれかであってよい。
【００３７】
図１７は、セルフ電源装置の回路の第二例の変形例を表している。
【００３８】
図１７は、第二のセルフ電源装置６０Ｂの回路の変形例を表す。図１７では、制御装置６１と電気的に連結する始動装置６６が加えられている。始動装置６６は、表示装置２００に表示動作を指示するために用いられる。当該始動装置６６は、例えばボタン式始動装置や無線周波数（ＲＦ）始動装置やＩＣカード接触始動装置などの外部始動装置である。
【００３９】
前記始動装置６６は、人の手で押して表示装置を駆動するボタン式始動装置であってもよい。また始動装置６６は、特定の無線周波数を受信して表示装置を駆動する無線周波数（ＲＦ）始動装置であってもよい。さらに始動装置６６は、ＩＣカードを外部のカード読取装置に挿入すると、表示装置を駆動して蓄積された情報を表示装置２００上に表示するＩＣカード接触始動装置であってもよい。
【００４０】
図１８は、セルフ電源装置を表す回路ブロック図の第三例である。
【００４１】
図１８は、第三のセルフ電源装置６０Ｃを表す回路ブロック図である。図１８は、図１６で説明したセルフ電源装置と類似のセルフ電源装置である。図１８では図１６と異なり、電気エネルギー貯蔵域７３と制御装置６１との間に保護回路７４が加えられている。保護回路７４は、第一の端部を電気エネルギー貯蔵域７３と電気的に連結し、第二の端部を制御装置６１と電気的に連結している。保護回路７４は、システムの破損を招く過電圧を防止するために設けられる。
【００４２】
図１９は、セルフ電源装置を表す回路ブロック図の第四例である。
【００４３】
図１９は、第四のセルフ電源装置６０Ｄを表す回路ブロック図である。図１９は、図１８で説明したセルフ電源装置と類似のセルフ電源装置である。図１９では図１８と異なり、電力検出回路７５が加えられている。この電力検出回路７５は、第一の端部を保護回路７４と電気的に連結し、第二の端部を制御装置６１と電気的に連結している。電力検出回路７５は、システムダウンを招く低電圧を防止するために、保護回路７４の出力端子間の電圧を検出して制御装置１９に出力する。
【００４４】
図２０は、ＩＣカード表示システムを表す論理ブロック図の第一例である。
【００４５】
図２０では次のステップが含まれる。
（１）機械力によって圧電装置で交流電流を生成する。
（２）前記の交流電流を直流に変換する。
（３）電力エネルギーが十分になったら、蓄積された情報を表示する。
（４）前記の機械力を止めて電力が消費されたら、システムが停止する。
【００４６】
ここでいう機械力とは、外部から圧電材料シートに対して加えられる人の手による力、若しくは共鳴振動であってもよい。
【００４７】
図２１は、ＩＣカード表示システムを表す論理ブロック図の第二例である。
【００４８】
図２１では次のステップが含まれる。
（１）機械力によって圧電装置で交流電流を生成する。
（２）前記の交流電流を直流に変換し、その直流を電力貯蔵域に貯蔵する。
（３）外部始動されているか？
（４）外部始動されている場合、蓄積された情報を表示する。
（５）電力が消費されたら、システムが停止する。
【００４９】
外部始動は、ボタン式始動や、無線周波数（ＲＦ）始動や、ＩＣカード接触始動であってもよい。
【００５０】
以上、本発明の実施形態について例を用いて説明したが、本発明の精神から逸脱することなく、多様な変更又は改良が可能であることは当業者にとって明らかである。その様な変更又は改良を加えた形態も、本発明の技術的範囲に含まれ得ることが、特許請求の範囲の記載から明らかである。
【図１Ａ】
2012190435.tif 000003
【図１Ｂ】
2012190435.tif 000004
【図２Ａ】
2012190435.tif 000005
【図２Ｂ】
2012190435.tif 000006
【図３Ａ】
2012190435.tif 000007
【図３Ｂ】
2012190435.tif 000008
【図４】
2012190435.tif 000009
【図５】
2012190435.tif 000010
【図６】
2012190435.tif 000011
【図７Ａ】
2012190435.tif 000012
【図７Ｂ】
2012190435.tif 000013
【図８】
2012190435.tif 000014
【図９】
2012190435.tif 000015
【図１０】
2012190435.tif 000016
【図１１】
2012190435.tif 000017
【図１２】
2012190435.tif 000018
【図１３】
2012190435.tif 000019
【図１４】
2012190435.tif 000020
【図１５】
2012190435.tif 000021
【図１６】
2012190435.tif 000022
【図１７】
2012190435.tif 000023
【図１８】
2012190435.tif 000024
【図１９】
2012190435.tif 000025
【図２０】
2012190435.tif 000026
【図２１】
2012190435.tif 000027